(57)【要約】      （修正有）【課題】面倒なクラッチＯＮ／ＯＦＦ操作やサミング操作を行なわなくても安定的な釣糸の繰り出しが可能であるとともに、一貫した質の高い魚の誘い操作を自動で継続的に行なうこともできるワカサギ釣り用電動リールを提供する。【解決手段】ワカサギ釣り用電動リール４は、リール本体５と、リール本体に回転可能に支持され、釣糸が巻回されるスプール３４と、リール本体５に設けられ、釣竿４０が装着可能な竿装着部２７と、その出力軸４６がスプール３４に対して動力伝達可能に係合される電動モータ４４とを備え、電動モータ４４の正逆回転駆動によってスプール３４が正逆回転されてスプール３４に対して釣糸が巻き取られ及び／又は繰り出される。【選択図】図３
2019030238.tif 000002
【特許請求の範囲】
【請求項１】
リール本体と、
前記リール本体に回転可能に支持され、釣糸が巻回されるスプールと、
前記リール本体に設けられ、釣竿が装着可能な竿装着部と、
その出力軸が前記スプールに対して動力伝達可能に係合される電動モータと、
を備え、
前記電動モータの正逆回転駆動によって前記スプールが正逆回転されて前記スプールに対して釣糸が巻き取られ及び／又は繰り出されることを特徴とするワカサギ釣り用電動リール。
【請求項２】
前記電動モータの動力を前記スプールに伝えることができる動力伝達状態と、前記電動モータから前記スプールへの動力伝達が遮断される動力遮断状態とを切り換えるためのクラッチ機構を更に備える請求項１に記載のワカサギ釣り用電動リール。
【請求項３】
前記電動モータの逆回転によって前記スプールからの釣糸の繰り出しが行なわれる自動繰り出しモードと、前記電動モータが逆回転することなく前記クラッチ機構による前記動力遮断状態でのみ前記スプールからの釣糸の繰り出しが可能となる手動繰り出しモードとを切り換えるモード切り換え信号を入力するためのモード入力部と、
前記モード入力部からのモード切り換え信号に応じて前記電動モータの動作を制御する制御部と、
を更に備えることを特徴とする請求項２に記載のワカサギ釣り用電動リール。
【請求項４】
前記自動繰り出しモードは、前記スプールによる釣糸の巻き取り及び繰り出しを所定のパターンで繰り返す複数種の誘いモードを含むことを特徴とする請求項３に記載のワカサギ釣り用電動リール。
【請求項５】
前記制御部は、前記電動モータの出力を制御して前記スプールの回転速度を制御することを特徴とする請求項３又は請求項４に記載のワカサギ釣り用電動リール。
【発明の詳細な説明】
【技術分野】
【０００１】
本発明は、釣糸が巻回されるスプールを電動モータにより回転駆動させるワカサギ釣り用電動リールに関する。
【背景技術】
【０００２】
近年、結氷した湖の上で行なうワカサギの穴釣りやワカサギのボート釣り等においては、常時釣り竿を手で保持せずにリールに短い釣り竿を取り付け、台の上に載置した状態で釣りを行なうことができる電動リールが提案されている（例えば、特許文献１参照）。  
このようなワカサギ釣り用電動リールは、リール本体に釣竿を直接に装着でき（竿装着部を有する）、電動モータの出力軸がスプールに対して動力伝達可能に係合される（電動モータの出力軸が例えばスプールの回転軸と直交した状態でスプールの側面に対して係脱可能に当て付けられることによって電動モータからスプールへの動力の伝達が継脱される）とともに、ギアによる変速を行なうことなく電動モータに対する印加電圧を制御することによりその回転速度及びトルクが変えられるという特徴を有する点で、その他の魚釣用電動リールとは一線を画される。
【先行技術文献】
【特許文献】
【０００３】
【特許文献１】特開２０１０−１２４７８９号
【発明の概要】
【発明が解決しようとする課題】
【０００４】
ところで、前述したような従来のワカサギ釣り用電動リールでは、釣糸の巻き取りは、電動モータによるスプールの回転駆動によって自動的に行なえるが、スプールからの釣糸の繰り出しは、電動モータからスプールへの駆動力伝達経路を遮断することにより手動で行なう必要がある。そのため、釣人は、仕掛けの上げ下げの度に、スイッチ等の切り換え操作部材を介して動力の伝達及び遮断を切り換える切り換え操作（いわゆるクラッチＯＮ／ＯＦＦ操作）を繰り返さなければならない。
【０００５】
また、ワカサギは、群れで回遊しており、一般に朝方及び夕方に活性が良くなって餌を活発に追う一方で、昼間は食い鈍ることが多いものの、一日を通して十分に釣果を上げるためには、昼間も常に仕掛けの上げ下げを繰り返して魚を誘い続ける必要があり、そのため、釣人は、休みをとる時間を惜しみつつ面倒なクラッチＯＮ／ＯＦＦ操作を絶えず繰り返しながら疲労を蓄積することになる。
【０００６】
また、魚の食いを誘うこの誘い操作は、他の魚と同様、ワカサギ釣りにおいても重要であるが、そのような誘い操作は、クラッチＯＮ／ＯＦＦ操作の細かい繰り返しを余儀なくさせることから、煩雑且つ面倒であり、また、釣人の技量に依るところも大きい。
【０００７】
また、仕掛けを落とす（釣糸を繰り出す）際には、通常、釣糸放出時のスプールの過回転による（釣糸の引き出し速度よりスプールの回転速度が速くなることによる）バックラッシュ現象によって糸ふけや糸絡みが生じないようにスプールをサミング操作することも必要になるが、そのようなサミング操作は、特に警戒心の高いワカサギの釣りでは、仕掛けを急激に高速で群れの層まで落とさないように（魚の警戒心を煽らないように）するために重要であるものの、クラッチＯＮ／ＯＦＦ操作と同様に、釣糸を繰り出す度に行なう必要があるため、煩雑である。
【０００８】
本発明は、上記した問題に着目してなされたものであり、面倒なクラッチＯＮ／ＯＦＦ操作やサミング操作を行なわなくても安定的な釣糸の繰り出しが可能であるとともに、一貫した質の高い魚の誘い操作を自動で継続的に行なうこともできるワカサギ釣り用電動リールを提供することを目的とする。
【課題を解決するための手段】
【０００９】
上記目的を達成するために、本発明のワカサギ釣り用電動リールは、リール本体と、前記リール本体に回転可能に支持され、釣糸が巻回されるスプールと、前記リール本体に設けられ、釣竿が装着可能な竿装着部と、その出力軸が前記スプールに対して動力伝達可能に係合される電動モータとを備え、前記電動モータの正逆回転駆動によって前記スプールが正逆回転されて前記スプールに対して釣糸が巻き取られ及び／又は繰り出されることを特徴とする。
【００１０】
上記構成によれば、スプールを回転駆動させる電動モータが正逆両方向で回転駆動できるため、スプールへの釣糸の巻き取りだけでなく、スプールからの釣糸の繰り出しも電動モータにより自動で行なうことができる。したがって、仕掛けの上げ下げの度にスイッチ等の切り換え操作部材を介して動力の伝達及び遮断を切り換えるクラッチＯＮ／ＯＦＦ操作を繰り返さないで済み、ひいては、釣糸の巻き取り及び繰り出しを全て自動で行なわせることも可能となり、一日を通して常に仕掛けの上げ下げを繰り返して魚を誘い続けることができるようになる。その結果、面倒なクラッチＯＮ／ＯＦＦ操作を絶えず繰り返すことによる疲労の蓄積も回避できる。
【００１１】
また、釣糸の巻き取り及び繰り出しを全て自動で行なわせることができれば、釣糸の巻き取り及び繰り出しを所定のパターンで繰り返す細かい所望の魚誘い操作も手動によらず実現でき、釣人の技量に依らない一貫した質の高い魚誘い操作を自動で継続的に行なうこともできる。
【００１２】
また、このようにスプールからの釣糸の繰り出しも電動モータにより自動で行なうことができれば、電動モータの出力を制御してスプールの回転速度を制御することにより、バックラッシュを未然に防止できるとともに、仕掛けを急激に高速で群れの層まで落とさないように（魚の警戒心を煽らないように）釣糸繰り出し速度を調整することもでき、サミング操作を必要としない安定的な釣糸の繰り出しが可能となる。
【発明の効果】
【００１３】
本発明によれば、面倒なクラッチＯＮ／ＯＦＦ操作やサミング操作を行なわなくても安定的な釣糸の繰り出しが可能であるとともに、一貫した質の高い魚の誘い操作を自動で継続的に行なうこともできるワカサギ釣り用電動リールが得られる。
【図面の簡単な説明】
【００１４】
【図１】本発明の一実施形態に係るワカサギ釣り用電動リールの概略的な斜視図である。
【図２】図１のワカサギ釣り用電動リールの概略的な平面図である。
【図３】図１のワカサギ釣り用電動リールの内部構造を示す概略的な断面図である。
【図４】図１のワカサギ釣り用電動リールの電動モータの駆動系統を示す回路図である。
【図５】図１のワカサギ釣り用電動リールの制御系の概略構成を示すブロック図である。
【図６】図１のワカサギ釣り用電動リールのモード制御の一形態例を示すフローチャートである。
【図７】３つの誘いモードの一例を示す動作波形図である。
【発明を実施するための形態】
【００１５】
以下、添付図面を参照しながら、本発明に係るワカサギ釣り用電動リール（以下、単に魚釣用リールという）の一実施形態について具体的に説明する。
なお、本発明に係るワカサギ釣り用電動リールは、後述するようにリール本体に釣竿を直接に装着でき（竿装着部を有する）、電動モータの出力軸がスプールに対して動力伝達可能に係合される（電動モータの出力軸が例えばスプールの回転軸と直交した状態でスプールの側面に対して係脱可能に当て付けられることによって電動モータからスプールへの動力の伝達が継脱される）とともに、ギアによる変速を行なうことなく電動モータに対する印加電圧を制御することによりその回転速度及びトルクが変えられるという特徴を有する点で、その他の魚釣用電動リールとは一線を画される。
【００１６】
図１〜図３に示されるように、魚釣用リール４は、リール本体５を備える。リール本体５は、その外郭を構成する筐体６を有する。筐体６は、例えばＡＢＳ樹脂、ポリカーボーネートのような合成樹脂材料により形成される。
【００１７】
筐体６は、やや湾曲した縦長の（前後方向に長い）箱体であり、図２に示されるように釣人が右手又は左手（図２では右手）で掴むことができる程度の大きさを有する。図３に示されるように、筐体６は、ロアケース７とトップカバー８とで構成される。
【００１８】
トップカバー８は、ネジ止め或いは嵌め込み等の手段によりロアケース７に固定されて、ロアケース７との間に電動モータ４４を収容するためのモータ収容室を画定する。更に、リール本体５内、本実施形態ではロアケース７には、電動モータ４４に電力を供給するための例えば乾電池や再充電可能なバッテリー等を着脱自在に収容できる収容部Ｓを画定する内部電源ハウジング７１が設けられる。
【００１９】
なお、リール本体５、本実施形態ではロアケース７には、内部電源ハウジング７１の収容部Ｓ（本実施形態では、収容部Ｓを含めてモータ４４等を全体的に露出させるためのロアケース７の開口）を外部に対して閉じるためのカバー部材７７が着脱自在に取り付けられるようになっている。
【００２０】
筐体６は、一対の脚１６を有する。脚１６は、例えば筐体６よりも柔らかいゴム状弾性体で形成される。脚１６は、ロアケース７の底壁に固定されるとともに、リール本体５の左右方向に互いに離間する。脚１６は、例えば氷結した湖面上に据え付けられる釣用の台の上にリール本体５を置いた際に、この台の上面に接触する接地部として機能する。
【００２１】
筐体６の前端部には合成樹脂製の支持台２６がネジ止め等により固定されており、この支持台２６は、釣竿４０が装着可能な竿装着部としての竿受け部２７と、スプール受け部２８とを備える。
【００２２】
竿受け部２７は、筐体６の前端の左右方向（前後方向に対して直交する幅方向）に沿う中央部に位置している。竿受け部２７は、筐体６の前方に向けて開口する支持孔２９を有するとともに、釣糸ガイド３０を支持する。釣糸ガイド３０は、竿受け部２７の上方に突出するように垂直に起立する待機位置と、この待機位置から筐体６の後方に倒れ込む動作位置との間で回動可能であり、通常は待機位置に保持されている。また、支持台２６のスプール受け部２８は、トップカバー８の開口部２１の下方で水平に配置されている。
【００２３】
図３に示されるように、ロアケース７の底壁の軸支部１３にはスプール軸３３が支持される。スプール軸３３は、ロアケース７の底壁から垂直に起立するとともに、スプール受け部２８を貫通してスプール受け部２８の上に突出する。
【００２４】
スプール軸３３の上部には合成樹脂材又は金属材製のスプール３４が回転可能に支持される。スプール３４は、リール本体５の前部において、リール本体５の上面の前方側の左右方向の中央部に位置する。なお、スプール３４の直ぐ後側には、筐体６の上面（トップカバー８上）に位置して、液晶表示装置９０（図１〜図３参照）が設けられる。
【００２５】
スプール３４は、釣糸が巻回される釣糸巻回胴部３６と、一対のフランジ３７ａ，３７ｂとを有しており、垂直なスプール軸３３を中心として回転する。フランジ３７ａ，３７ｂは、釣糸巻回胴部３６と同軸の円盤状を成すとともに、釣糸巻回胴部３６を間に挟んで上下方向に向かい合う。この場合、下側フランジ３７ｂがスプール受け部２８の上面に載置される。
【００２６】
スプール軸３３は、釣糸巻回胴部３６を同軸状に貫通して上側フランジ３７ａの上に突出する。スプール軸３３の上端には袋ナット３８がねじ込まれる。袋ナット３８は、スプール受け部２８との間でスプール３４を挟み込んでおり、これにより、スプール３４がリール本体５の前部に回転自在に支持される。なお、スプール３４は、トップカバー８の開口部２１の内側に位置する。
【００２７】
図３に示されように、竿受け部２７の支持孔２９には釣竿４０が嵌め込まれるようになっている。釣竿４０は、例えば全長が１５ｃｍ程度の短いものでよく、リール本体５の前端から前方に向けて水平に突き出る。
【００２８】
釣竿４０の外周面には複数の釣糸ガイド（図示せず）が取り付けられる。これらの釣糸ガイドは、釣竿４０の長手方向に間隔を存して一列に設けられる。スプール３４から繰り出された釣糸（図示せず）は、リール本体５の釣糸ガイド３０から釣竿４０の釣糸ガイドを経由して釣竿４０の先端に導かれた後、釣竿４０の先端から例えば湖面に開けた穴を通じて水中へ導かれる。
【００２９】
トップカバー８とロアケース７との間に形成される前述したモータ収容室内の電動モータ４４は、電気的制御により正逆回転可能になっており、ステータ及びロータを収容するモータハウジング（図示せず）と、このモータハウジングの前端から突出する金属製の出力軸４６とを有する。電動モータ４４は、出力軸４６を筐体６の前後方向に沿わせた横置きの姿勢でスプール３４の後方に設置される。
【００３０】
モータ４４の出力軸４６は、スプール軸３３の直後に位置するとともに、このスプール軸３３と直交するような位置関係を保っている。出力軸４６の前端部は、スプール３４の下側フランジ３７ｂの下方に位置する。
【００３１】
出力軸４６の外周には円筒状のトルク伝達部材４７が取り付けられる。トルク伝達部材４７は、例えばスプール３４よりも柔らかい合成樹脂材又はゴム状弾性体により形成される。図３に示される状態では、トルク伝達部材４７の外周面がスプール３４の下側フランジ３７ｂの下面に接している。
【００３２】
電動モータ４４のモータハウジング（したがって、電動モータ４４）は、図示しないピボット軸を支点として、図３に示される水平な第１の位置と、前方下方に傾斜する第２の位置（図示せず）との間で回動可能となっている。第１の位置では、図３に示されるように電動モータ４４の出力軸４６が筐体６の前後方向に沿って水平に延びており、トルク伝達部材４７の外周面がスプール３４の下側フランジ３７ｂの下面に当接する。このように当接することにより、フランジ３７ｂとトルク伝達部材４７との当接部分に摩擦抵抗が付与され、電動モータ４４の出力軸４６とスプール３４との間が機械的に接続される。この結果、摩擦抵抗によりスプール３４の自由な回転が阻止される。この状態で更に電動モータ４４が正逆回転駆動されると、出力軸４６のトルクがトルク伝達部材４７を介してスプール３４に伝わり、スプール３４が釣糸を巻き取る方向又は釣糸を繰り出す方向に回転する。すなわち、この構成において、電動モータ４４は、その出力軸４６がスプール３４に対して動力伝達可能に係合されており、電動モータ４４の正逆回転駆動によってスプール３４が正逆回転されてスプール３４に対して釣糸が巻き取られ及び／又は繰り出される。
【００３３】
一方、第２の位置では、電動モータ４４の出力軸４６が前下がりとなって、トルク伝達部材４７の外周面がスプール３４の下側フランジ３７ｂの下面から離れる。これにより、電動モータ４４の出力軸４６とスプール３４との機械的な接続が解除され、トルク伝達部材４７とスプール３４との間に摩擦抵抗が付与されなくなる。そのため、スプール３４は、釣糸３５を巻き取る方向及び繰り出す方向の自由な回転が許容されるフリーな状態に移行する。
【００３４】
なお、電動モータ４４は、図示しない引っ張りコイルスプリングを介して常に第１の位置に向けて弾性的に付勢されている。したがって、モータ４４が第１の位置にある限り、トルク伝達部材４７の外周面がスプール３４の下側フランジ３７ｂの下面に弾性的に押し付けられる。
【００３５】
また、電動モータ４４（モータハウジング）の第１の位置と第２の位置との間の切り換えは、トップカバー８から突出して設けられる操作体２２（図１及び図３参照）によって行なわれる。この操作体２２は、その下端がトルク伝達部材４７と対向しており、下向きに押圧操作されることにより、トルク伝達部材４７とともに電動モータ４４の出力軸４６を下方に（第２の位置へ）に押圧する。これにより、電動モータ４４の出力軸４６とスプール３４との機械的な接続が解除される。また、操作体２２の押圧操作力を解除すると、前述した引っ張りコイルスプリングによる付勢力によって電動モータ４４が第１の位置へ復帰する。
【００３６】
すなわち、操作体２２は、電動モータ４４の出力軸４６とスプール３４とを機械的に接続する状態と、これらの接続を解除する状態とに切り換える、すなわち、電動モータの動力をスプール３４に伝えることができる動力伝達状態と、電動モータ４４からスプール３４への動力伝達が遮断される動力遮断状態とを切り換えるためのクラッチ機構としての機能を果たす。
【００３７】
前述したように、筐体６の内部電源ハウジング７１の収容部Ｓ内には、モータ４４の駆動用電源となる例えば２本の乾電池５２ａ，５２ｂが着脱自在に収容される。図４に示されるように、乾電池５２ａ，５２ｂの正極にはそれぞれ正側電源ライン５３ａ，５３ｂが接続される。正側電源ライン５３ａ，５３ｂは、正側共通電源ライン５４を介して電動モータ４４の正側端子に接続される。乾電池５２ａ，５２ｂの負極にそれぞれ負側電源ライン５５ａ，５５ｂが接続される。負側電源ライン５５ａ，５５ｂは、負側共通電源ライン５６を介して電動モータ４４の負極端子に接続される。そのため、各電源ライン５３ａ，５３ｂ，５４，５５ａ，５５ｂ，５６は、電動モータ４４を乾電池５２ａ，５２ｂに並列に接続する一つの電源回路５７を構成する。
【００３８】
正側電源ライン５３ａ，５３ｂと正側共通電源ライン５４との間には常開形の連続巻きスイッチ５８が接続される。一方の正側電源ライン５３ａと正側共通電源ライン５４との間には常開形の一時巻きスイッチ５９ａが接続される。
【００３９】
連続巻きスイッチ５８は、筐体６の内部に収容されるとともに、筐体６の左右側壁にそれぞれ設けられる操作スイッチ７０，７２のうちのいずれか一方を長押し操作することによって開閉操作され、閉じられることにより電動モータ４４の連続駆動を可能にする。一方、一時巻きスイッチ５９ａは、例えば筐体６の下方に配置されるとともに、筐体６の左右側壁にそれぞれ設けられる操作スイッチ７０，７２のうちのいずれか一方を長押しすることなく瞬間的な短い時間だけ押圧操作することによって開閉操作され、閉じられることにより電動モータ４４の寸動駆動を可能にする。
【００４０】
なお、本実施形態において、操作スイッチ７０，７２は、例えば同じ機能を有しており、図２に示されるようにリール本体５を把持する手の２つの指（例えば、親指及び人差し指）で同時に操作可能なリール本体５の左右側面の位置にそれぞれ設けられる。
【００４１】
正側共通電源ライン５４には常閉形の船べり停止スイッチ６０が配置される。船べり停止スイッチ６０は、筐体６の前端に位置する釣糸ガイド３０と対向する。船べり停止スイッチ６０は、釣糸ガイド３０が待機位置から動作位置に回動されたときに、釣糸ガイド３０によって開方向に操作される。
【００４２】
負側共通電源ライン５６には常開形のメインスイッチ６１が配置される。メインスイッチ６１は、筐体６の底壁の下方に露出されて釣人が手の指先で操作し得るようになっている。そのため、本実施形態では、メインスイッチ６１を閉じた状態で連続巻きスイッチ５８又は一時巻きスイッチ５９ａを閉じると、乾電池５２ａ，５２ｂから電動モータ４４に電流が流れ、電動モータ４４が回転する。
【００４３】
前述したように、電動モータ４４のトルクは、出力軸４６からトルク伝達部材４７に伝わる。トルク伝達部材４７は、前述した引っ張りコイルスプリングの付勢力によりスプール３４のフランジ３７ｂの下面に押し付けられているため、トルク伝達部材４７とフランジ３７ｂとの間の接触部分に生じる摩擦力により電動モータ４４のトルクがスプール３４に伝わる。この結果、連続巻きスイッチ５８又は一時巻きスイッチ５９ａを閉じた場合、スプール３４は電動モータ４４のトルクを受けて連続的に又は断続的に釣糸巻き取り方向及び／又は操出方向に回転する。
【００４４】
図５には、魚釣用リール４の制御系の概略構成がブロック図として示される。図示のように、魚釣用リール４は、電動モータ４４の逆回転によってスプール３４からの釣糸の繰り出しが行なわれる自動繰り出しモードと、電動モータ４４が逆回転することなくクラッチ機構２２による動力遮断状態でのみスプール３４からの釣糸の繰り出しが可能となる手動繰り出しモードとを切り換えるモード切り換え信号を入力するためのモード入力部９６と、モード入力部９６からのモード切り換え信号に応じて電動モータ４４の動作を制御する制御部９２と備える。この場合、モード入力部９６は、前述した複数の操作スイッチ７０，７２及び液晶表示装置９０の直ぐ後側（筐体６の上面）に配置される操作スイッチ８２，８４から構成される。また、自動繰り出しモードは、後述するように、スプール３４による釣糸の巻き取り及び繰り出しを所定のパターンで繰り返す複数種の誘いモードも含む。
【００４５】
以上のような構成の魚釣用リール４を用いてワカサギを釣る場合には、まず、リール本体５に釣竿４０を装着して、釣糸に仕掛けをセットした後、メインスイッチ６１を閉じる。次に、魚釣用リール４を釣場に設置された台の上に置き、例えば図２に示されるように筐体６の上面に右手を添えるように宛がう。
【００４６】
次に、釣人は、操作スイッチ７０，７２，８２，８４のうちの対応する操作スイッチ、例えば操作スイッチ８２，８４を押圧することにより、手動繰り出しモード又は自動繰り出しモードを選択する。すなわち、モード入力部９６から対応するモード切り換え信号が制御部９２に送られる（図６のステップＳ１参照）。ここで、手動繰り出しモードが選択されれば（図６のステップＳ２参照）、制御部９２からの制御信号に基づき電動モータ４４の逆回転駆動は行なわれない（図６のステップＳ３参照）。そのため、釣人は、例えば人差し指で操作体２２を押圧操作し、クラッチ機構をＯＦＦにしてスプール３４から釣糸を繰り出して仕掛けを所望の棚まで落とす。すなわち、操作体２２を押圧操作すると、引っ張りコイルスプリングの付勢力に抗してトルク伝達部材４７が下方へ押圧され、トルク伝達部材４７がスプール３４のフランジ３７ｂから離脱する。この結果、スプール３４がフリーとなり、スプール３４に巻き付けられた釣糸が仕掛けにより引っ張られてスプール３４から繰り出される。
【００４７】
一方、自動繰り出しモードが選択されると、制御部９２により自動繰り出しモードに設定され（図６のステップＳ４参照）、制御部９２からの制御信号に基づき電動モータ４４の逆回転が許容される（図６のステップＳ５参照）。したがって、例えば左右側面の操作スイッチ７０，７２のいずれかを押圧操作することにより、電動モータ４４が逆回転され、スプール３４から釣糸が繰り出される。
【００４８】
このとき、繰り出し当初の釣糸繰り出し速度が通常の速度よりも遅くなるように予め設定されていてもよく、或いは、操作スイッチ７０，７２，８２，８４のうちの対応する操作スイッチ、例えば操作スイッチ８２を押圧することにより低速繰り出しが実現されてもよい（いずれにしても、制御部９２が電動モータ４４の出力を制御してスプール３４の回転速度を制御する）。このようにすると、初期の糸ふけを防止できる（バックラッシュを未然に防止できる）とともに、仕掛けを急激に高速で魚の群れの層まで落とし込んで魚の警戒心を煽ってしまうという事態を回避できる。
【００４９】
その後、所定期間経過後に自動的に通常の繰り出し速度に戻ってもよく、或いは、対応する操作スイッチの手動操作により通常繰り出し速度への復帰が行なわれてもよい。また、この繰り出し中（後述する巻き取り中も同様）、左右側面の操作スイッチ７０，７２のいずれかを長押し操作すると、電動モータ４４が連続駆動されて、釣糸が連続的に繰り出される（巻き取りの場合も同様に、連続的に巻き取られる）とともに、左右側面の操作スイッチ７０，７２のいずれかを長押しすることなく瞬間的な短い時間だけ押圧操作すると、電動モータ４４が寸動駆動されて、釣糸が断続的に繰り出される（巻き取りの場合も同様に、断続的に巻き取られる）。
【００５０】
仕掛けが狙った水深（棚）に達したところで、操作体２２の押圧を解除して引っ張りコイルスプリングの付勢力によりトルク伝達部材４７をスプール３４のフランジ３７ｂに押し付けてクラッチＯＮ状態にする（手動繰り出しモードの場合）、或いは、例えば左右側面の操作スイッチ７０，７２のいずれかを押圧操作することにより、電動モータ４４の逆回転を停止させる（自動操り出しモードの場合）。そして、このままの状態で魚のアタリを待つ。
【００５１】
或いは、単にアタリを待つのではなく、液晶表示装置９０に隣接する筐体６の上面の操作スイッチ８２，８４を用いて誘いモードによる魚の誘い操作を行なってもよい。この操作は、例えば、いずれか一方の操作スイッチ８２，８４、例えば操作スイッチ８２を所定時間（例えば２秒）だけ押圧して、液晶表示装置９０の表示画面上に誘いモードの種類を表示させ、それを選択することにより行なわれる。本実施形態では、この誘いパターンが３種類存在するが、その種類の数は限定されない。そして、所定の誘いモードを選択したら（図６のステップＳ６参照）、例えば両方の操作スイッチ８２，８４を同時に押圧操作することにより、誘いモードが開始される。
【００５２】
例えば、誘いモード１が選択される（図６のステップＳ７参照）と、制御部９２は、所定のプログラムにしたがって電動モータ４４の正逆回転を制御して、図７の（ａ）の動作波形に示されるように、現在の水深位置（誘い開始棚）から釣糸（仕掛け）を例えば１０ｃｍ巻き上げた後に１０ｃｍ繰り出して３秒停止する動作周期を例えば５回繰り返した後、続いて３０ｃｍ巻き上げ、その後、３０ｃｍ繰り出して３秒停止する。この一連の誘い動作は、例えば左右側面の操作スイッチ７０，７２のいずれかを押圧操作することにより電動モータ４４を正回転させて釣糸をスプール３４に巻き取り始めるまで行なわれる。また、誘いモードを一旦停止させた後に、誘いを始めた開始棚まで仕掛けを落下させることにより自動的に誘いモードが再開されるようになっていてもよい。更に、誘い操作中に操作スイッチ８２，８４の一方を押圧操作すると、誘い動作速度がアップし、誘い操作中に操作スイッチ８２，８４の他方を押圧操作すると、誘い動作速度がダウンするようになっていてもよい（以下、後述する誘いモード２，３においても同様）。これらの動作形態は全て制御部９２のメモリ内にプログラムとして記憶される。
【００５３】
また、誘いモード２が選択される（図６のステップＳ８参照）と、制御部９２は、所定のプログラムにしたがって電動モータ４４の正逆回転を制御して、図７の（ｂ）の動作波形に示されるように、現在の水深位置（誘い開始棚）から例えばモータ寸動駆動により１０ｃｍの釣糸巻き上げを断続的に３回繰り返した後（３０ｃｍ巻き上げた後）に一気に３０ｃｍ繰り出して３秒停止する動作周期を例えば５回繰り返した後、続いて６０ｃｍ巻き上げ、その後、６０ｃｍ繰り出して３秒停止する。この一連の誘い動作は、例えば左右側面の操作スイッチ７０，７２のいずれかを押圧操作することにより電動モータ４４を正回転させて釣糸をスプール３４に巻き取り始めるまで行なわれる。
【００５４】
また、誘いモード３が選択される（図６のステップＳ９参照）と、制御部９２は、所定のプログラムにしたがって電動モータ４４の正逆回転を制御して、図７の（ｃ）の動作波形に示されるように、現在の水深位置（誘い開始棚）から例えばモータ寸動駆動により１０ｃｍの釣糸巻き上げを断続的に５回繰り返した後（５０ｃｍ巻き上げた後）に一気に５０ｃｍ繰り出して３秒停止する動作周期を例えば５回繰り返した後、続いて９０ｃｍ巻き上げ、その後、９０ｃｍ繰り出して３秒停止する。この一連の誘い動作は、例えば左右側面の操作スイッチ７０，７２のいずれかを押圧操作することにより電動モータ４４を正回転させて釣糸をスプール３４に巻き取り始めるまで行なわれる。
【００５５】
このような誘い中に魚（ワカサギ）のアタリが来たら、そのまま例えば左右側面の操作スイッチ７０，７２のいずれかを押圧操作することにより電動モータ４４を正回転させて釣糸を通常の巻き取り速度でスプール３４に巻き取り始めてもよい（通常巻き取りモード）が、可能な限り多くの釣針に魚を掛けるために、ワカサギの遊泳層の全体にわたって仕掛けを上下させて追い食いをさせる追い食い操作を行なってもよい。この追い食い操作は、左右側面の操作スイッチ７０，７２を同時に押圧操作することにより自動的に開始され、通常の巻き取り速度（所定の速度；例えば７０〜１４０ｃｍ／秒）よりもかなり遅い速度（例えば、２〜５ｃｍ／秒）で行なわれる（低速巻き取りモード）。例えば電動モータ４４の連続駆動に３段階以上の複数の駆動速度が設定されている場合には、操作スイッチ７０，７２を同時に押圧操作することにより、通常の巻き取り速度が２段階以上低い速度に一気に切り換えられる。その後、十分な魚が仕掛けに掛かった感触を得た段階で、例えば左右側面の操作スイッチ７０，７２のいずれかを再度押圧操作することにより電動モータ４４を正回転させて釣糸３５を通常の巻き取り速度で巻き取る。
【００５６】
釣糸をスプール３４に巻き取っているときに、釣糸の先端側に位置する重りや撚り戻しのようなストッパが魚釣用リール４の直前に達すると、ストッパが待機位置に保持された釣糸ガイド３０を通過できずに、この釣糸ガイド３０に引っ掛かる。このため、釣糸ガイド３０が釣糸の巻き取り動作に追従して待機位置から動作位置に向けて倒れ込む。釣糸ガイド３０が動作位置に達すると、この釣糸ガイド３０によって船べり停止スイッチ６０が開かれ、モータ４４に対する電流の供給が断たれる。この結果、釣糸の巻き取りが停止され、仕掛けはスプール３４に巻き込まれることなく魚釣用リール４の直前で停止する。
【００５７】
以上説明したように、本実施形態によれば、スプール３４を回転駆動させる電動モータ４４が正逆両方向で回転駆動できるため、スプール３４への釣糸の巻き取りだけでなく、スプール３４からの釣糸の繰り出しも電動モータ４４により自動で行なうことができる。したがって、仕掛けの上げ下げの度にスイッチ等の切り換え操作部材を介して動力の伝達及び遮断を切り換えるクラッチＯＮ／ＯＦＦ操作を繰り返さないで済み、ひいては、前述した誘い操作のように釣糸の巻き取り及び繰り出しを全て自動で行なわせることも可能となり、一日を通して常に仕掛けの上げ下げを繰り返して魚を誘い続けることができるようになる。その結果、面倒なクラッチＯＮ／ＯＦＦ操作を絶えず繰り返すことによる疲労の蓄積も回避できる。
【００５８】
また、釣糸の巻き取り及び繰り出しを全て自動で行なわせることができれば、釣糸の巻き取り及び繰り出しを所定のパターンで繰り返す細かい所望の魚誘い操作も手動によらず実現でき、釣人の技量に依らない一貫した質の高い魚誘い操作を自動で継続的に行なうこともできる。
【００５９】
また、このようにスプール３４からの釣糸の繰り出しも電動モータ４４により自動で行なうことができれば、電動モータ４４の出力を制御してスプール３４の回転速度を制御することにより、バックラッシュを未然に防止できるとともに、仕掛けを急激に高速で群れの層まで落とさないように（魚の警戒心を煽らないように）釣糸繰り出し速度を調整することもでき、サミング操作を必要としない安定的な釣糸３５の繰り出しが可能となる。
【００６０】
以上、図面を参照しながら本発明の一実施形態について説明してきたが、本発明は、前述した実施形態に限定されず、その要旨を逸脱しない範囲で種々変形して実施できる。例えば、前述した実施形態では、左右側面の操作スイッチ７０，７２が同一の機能を有していたが、２つのスイッチ７０，７２の機能が異なっていてもよい。この場合、操作スイッチ７０，７２の機能の設定を例えば液晶表示装置９０の近傍の操作スイッチ８２，８４等によって行なうことができるようになっていてもよい。
【符号の説明】
【００６１】
４  魚釣用リール（ワカサギ釣り用電動リール）
５  リール本体
２７  竿受け部（竿装着部）
３４  スプール
３５  釣糸
４４  電動モータ
４６  出力軸
９２  制御部
９６  モード入力部
【図１】
2019030238.tif 000003
【図２】
2019030238.tif 000004
【図３】
2019030238.tif 000005
【図４】
2019030238.tif 000006
【図５】
2019030238.tif 000007
【図６】
2019030238.tif 000008
【図７】
2019030238.tif 000009